(57)【特許請求の範囲】
【請求項１】
エレベータの乗りかごを昇降させるためのカゴレールに取付けられ、着床位置検知板を取付けるための着床位置検知板取付腕を、着床位置検知板固定腕と着床位置検知板可動腕に分割し、該固定腕に対して該可動腕を水平方向に回動可能に連結したエレベータの着床位置検出装置。
【請求項２】
エレベータの乗りかごを昇降させるためのカゴレールに取付けられ、着床位置検知板を取付けるための着床位置検知板取付腕を、着床位置検知板固定腕と着床位置検知板可動腕に分割し、該固定腕に対して該可動腕を水平方向に回動可能に連結し、かご内の乗客を救出する際に、前記可動腕を前記かごに形成されたサイド救出口とは遠ざかる方向に回動した状態を保持する保持手段を備えたエレベータの着床位置検出装置。
【請求項３】
エレベータが通常走行時に、前記着床位置検知板可動腕が回動しないようにするストッパを備えた請求項１または請求項２に記載のエレベータの着床位置検出装置。
【発明の詳細な説明】
【０００１】
【発明の属する技術分野】
本発明は、乗りかご側壁に有する乗客救出用のサイド救出口と、乗りかごを安定して昇降させるためのカゴレールに取付けられ、乗りかごの着床位置を検知するための着床位置検知板を備えたエレベータの着床位置検出装置に関する。
【０００２】
【従来の技術】
従来この種のエレベータの着床位置検出装置の一例として、図５〜図７に示すように構成されたものがある。図５はエレベータの昇降路の下面図であり、乗りかご１の側壁には乗りかご１内の乗客救出用のサイド救出口２が設けられ、サイド救出口２には乗客救出用戸３が開閉可能に設けられている。
【０００３】
かご１に対向する側壁には、昇降路に対して垂直にかご１を安定に昇降させるためのカゴレール４が配設され、カゴレール４には着床位置検知板５，６を取付けるための取付腕７が取付けられ、該着床位置検知板５は該サイド救出口２に対向する位置に取付けられている。
【０００４】
図６及び図７はそれぞれ図５の着床位置検知板５，６と取付腕７の関係を詳細に示す拡大平面図及び拡大正面図であり、取付腕７は帯状板の途中が折曲され該両端部が互いに逆方向で平行になるように構成され、このような形状の取付腕７の所望の位置にはボルト通し穴８，９，１０，１１がそれぞれ形成されている。
【０００５】
ボルト通し穴８，９には、固定クリップ１３を挿入させた状態のボルト１２をそれぞれ挿通させ、ボルト１２の突出端部にバネ座金１４を介してナット１５を螺合させると共に、固定クリップ１３と取付腕７の間にカゴレール４の端部に挟み込み、これによりカゴレール４に取付腕７に固定したものである。
【０００６】
着床位置検知板６は断面Ｌ字状部材であってこれにはボルト通し穴２１が形成され、このボルト通し穴２１と取付腕７のボルト通し穴１１には、座金１７が挿通されたボルト１６が挿通され、ボルト１６の突出端部には座金１８とバネ座金１９を介してナット２０が螺合され、これにより着床位置検知板６が取付腕７に固定されている。
【０００７】
【発明が解決しようとする課題】
以上述べた従来のエレベータの着床位置検出装置にあっては、以下のような問題点がある。すなわち、エレベータの故障時にあって、かご内の乗客を救出するためのサイド救出口と、着床位置検知板が同一ロケーションにある場合、昇降路側に取付けられた着床位置検知板が、乗客救出の際の妨げとなり、着床位置検知板を避けて昇降路に出なければならず、乗客を迅速に救出する上で支障を来すことがあった。
【０００８】
本発明の目的は、かご内の乗客を救出するためのサイド救出口と、着床位置検知板が同一ロケーションにあっても、かご内の乗客を救出できる安全領域を確保でき、かご内の乗客を迅速に救出するエレベータの着床位置検出装置を提供することにある。
【０００９】
【課題を解決するための手段】
前記目的を達成するために、請求項１に対応する発明は、エレベータの乗りかごを昇降させるためのカゴレールに取付けられ、着床位置検知板を取付けるための着床位置検知板取付腕を、着床位置検知板固定腕と着床位置検知板可動腕に分割し、該固定腕に対して該可動腕を水平方向に回動可能に連結したエレベータの着床位置検出装置である。
【００１０】
前記目的を達成するために、エレベータの乗りかごを昇降させるためのカゴレールに取付けられ、着床位置検知板を取付けるための着床位置検知板取付腕を、着床位置検知板固定腕と着床位置検知板可動腕に分割し、該固定腕に対して該可動腕を水平方向に回動可能に連結し、かご内の乗客を救出する際に、前記可動腕を前記かごに形成されたサイド救出口とは遠ざかる方向に回動した状態を保持する保持手段を備えたエレベータの着床位置検出装置である。
【００１１】
前記目的を達成するため、請求項３に対応する発明は、エレベータが通常走行時に、前記着床位置検知板可動腕が回転しないようにするストッパを備えた請求項１または請求項２記載のエレベータの着床位置検出装置である。
【００１２】
請求項１〜請求項３のいずれかに対応する発明によれば、かご内の乗客を救出するためのサイド救出口と、着床位置検知板が同一ロケーションにあっても、かご内の乗客を救出できる安全領域を確保でき、かご内の乗客を迅速に救出することができる。
【００１３】
【発明の実施の形態】
以下、本発明の実施形態について図面を参照して説明する。図１は、本発明の実施形態の一部、すなわちサイド救出口近くに配設される着床位置検知板ならびこれを取付ける着床位置検知板取付腕を示す平面図であり、図２はその正面図である。この図から明らかなように、前述した従来の技術と異なる点は次の点であり、これ以外の点は図６及び図７と同一である。
【００１４】
図６及び図７の着床位置検知板取付腕７を、該折曲部において着床位置検知板固定腕７１と着床位置検知板可動腕７２に分割し、固定腕７１と可動腕７２を蝶番２２により連結したものである。具体的には、固定腕７１の端部（折曲されている部分）にボルト通し穴（図示せず）が形成され、また可動腕７２の端部（折曲されている部分）にボルト通し穴（図示せず）が形成され、これらのボルト通し穴および蝶番２２に上下方向に２か所形成されている蝶番取付穴２３，２４にボルト２５を通し、該ボルト２５にナット２６を螺合させることにより、蝶番２２を固定腕７１と可動腕７２により取付けると共に、固定腕７１と可動腕７２を蝶番２２により連結したものである。
【００１５】
なお、ボルト２５を蝶番取付穴２３，２４とボルト通し穴に挿通する際に、蝶番２２とボルト２５の頭部の間に座金２７が、また固定腕７１、可動腕７２とナット２６の間に座金２８、バネ座金２９をそれぞれ配設する。
【００１６】
そして、可動腕７２は蝶番２２の軸を中心として回動可能であるため、エレベータの故障が発生しない通常走行時には、可動腕７２が誤動作して回動することがないように、例えば固定腕７１に一端が回動可能に固定され、かつ他端が可動腕７２の所望の位置に少なくとも３ヶ所に形成されているストッパ穴に係合するようにストッパが配設され、このストッパは可動腕７２が図３、図４のように回転した状態でも保持できるようになっている。該ストッパは例えば例えば先端側にフックを有し、他端側には球面継手を有したものを使用する。可動腕７２に形成されているストッパ穴のうち、一つのストッパ穴は可動腕７２が回転しない通常の状態を保持できるように形成されたものであり、残りのストッパ穴は図３又は図４の回転状態を保持できるように形成されたものである。
【００１７】
このように着床位置検知板固定腕７１と着床位置検知板可動腕７２が蝶番２２により連結されているため、図３、図４のように可動腕７２が蝶番２２の軸を中心として回転可能である。図３は可動腕７２を乗りかご１と反対方向であって固定腕７１に対して４５°回転させた状態を示し、図４は図３と同様に可動腕７２を固定腕７１に対して９０°回転させた状態を示している。
【００１８】
このようなことから、エレベータ故障時等において、かご内の乗客を救出する際には、可動腕７２を図３または図４のように回転させ、この状態をストッパで保持させることで、乗客を救出できる安全領域を確保できると共に、乗客を迅速に救出できる。
【００１９】
この効果は、着床位置検知板５，６とサイド救出口３が同じロケーションに配置された場合には、極めて有効であり、着床位置検知板可動腕７２をサイド救出口３と反対の昇降路側へ逃がすことによって、かご内の乗客を救出する際、乗客を救出できる安全領域を確保できると共に、乗客を迅速に救出できる。
【００２０】
【発明の効果】
以上述べた本発明によれば、かご内の乗客を救出するためのサイド救出口と、着床位置検知板が同一ロケーションにあっても、かご内の乗客を救出できる安全領域を確保でき、かご内の乗客を迅速に救出することができるエレベータの着床位置検出装置を提供することができる。
【図面の簡単な説明】
【図１】本発明のエレベータの着床位置検出装置の第１の実施形態を説明するための平面図。
【図２】本発明のエレベータの着床位置検出装置の第１の実施形態を説明するための正面図。
【図３】図１の動作状態を説明するための図。
【図４】図１の動作状態を説明するための図。
【図５】従来のエレベータの着床位置検出装置の概略構成を示す平面図。
【図６】図５の一部を拡大して示す平面図。
【図７】図５の一部を拡大して示す正面図。
【符号の説明】
１…かご
２…サイド救出口
３…乗客救出口戸
４…カゴレール
５，６…着床位置検知板
７１…着床位置検知板固定腕
７２…着床位置検知板固定腕
１２…ボルト
１３…固定クリップ
１６…ボルト
２２…蝶番
２３，２４…蝶番取付穴
２５…ボルト
【図１】
0003778624.tif 000002
【図２】
0003778624.tif 000003
【図３】
0003778624.tif 000004
【図４】
0003778624.tif 000005
【図５】
0003778624.tif 000006
【図６】
0003778624.tif 000007
【図７】
0003778624.tif 000008